(57)【要約】【課題】  本発明は、複数のユーザによって同時に相反する操作が実行されることを防止することを目的とする。【解決手段】  上記目的を達成するために、本発明に係る情報処理装置は、複数の装置間で遠隔会議を行うための情報処理装置であって、入力手段に対して人物が近づいたか否かを検知する検知手段と、前記情報処理装置が遠隔会議を行う複数の装置の中で何番目に人物が近づいた情報処理装置であるか判定する判定手段と、前記判定手段が、１番目からｎ番目（ｎは自然数）までに人物が近づいた情報処理装置であると判定した場合、表示手段に、第１の項目群及び第２の項目群を表示させ、ｎ＋１番目以降に人物が近づいた端末であると判定した場合、表示手段に、第１の項目群のみを表示させる制御手段を有する。【選択図】  図２
2010273109.tif 000002
【特許請求の範囲】
【請求項１】
複数の装置間で遠隔会議を行うための情報処理装置であって、
入力手段に対して人物が近づいたか否かを検知する検知手段と、
前記情報処理装置が遠隔会議を行う複数の装置の中で何番目に人物が近づいた情報処理装置であるか判定する判定手段と、
前記判定手段が、１番目からｎ番目（ｎは自然数）までに人物が近づいた情報処理装置であると判定した場合、表示手段に、第１の項目群及び第２の項目群を表示させ、
ｎ＋１番目以降に人物が近づいた端末であると判定した場合、表示手段に、第１の項目群のみを表示させる制御手段を有する情報処理装置。
【請求項２】
表示手段に第１の項目群のみが表示された状態で、前記判定手段が複数回の判定を実行するとき、
前回の判定でｎ＋１番目以降に人物が近づいた情報処理装置と判定された後、今回の判定で１番目からｎ番目までに人物が近づいた端末と判定された場合、前記制御手段は、前記第１の項目群に加えて、前記第２の項目群を前記表示手段に表示させることを特徴とする請求項１に記載の情報処理装置。
【請求項３】
第１の項目群には、複数の装置で同時に実行すると相反する処理を示す項目が示されて、前記第２の項目群には、複数の装置で同時に実行できる処理を示す項目が示されていることを特徴とする請求項１または請求項２に記載の情報処理装置。
【請求項４】
複数の装置間で遠隔会議を行うための情報処理装置の動作方法であって、
入力手段に対して人物が近づいたか否かを検知する検知工程と、
前記情報処理装置が遠隔会議を行う複数の装置の中で何番目に人物が近づいた情報処理装置であるか判定する判定工程と、
前記判定工程で、１番目からｎ番目（ｎは自然数）までに人物が近づいた情報処理装置であると判定した場合、表示手段に、第１の項目群及び第２の項目群を表示させ、
ｎ＋１番目以降に人物が近づいた端末であると判定した場合、表示手段に、第１の項目群のみを表示させる制御工程を有する動作方法。
【請求項５】
請求項４の動作方法をコンピュータに実行させるためのプログラム。
【発明の詳細な説明】
【技術分野】
【０００１】
本発明は、遠隔会議システムにおいて、操作の権限を切り替える技術に関する。
【背景技術】
【０００２】
従来、複数のパーソナルコンピュータ（ＰＣ）、テレビ会議端末等をネットワークを介して接続し、映像、音声等のデータを入出力する遠隔会議システムが知られている。
【０００３】
しかしながら、ＰＣ、テレビ会議端末等は互いに遠隔地にあるため、互いの状況を把握できない場合がある。従って、互いに遠隔地にある複数のユーザによって同時に相反する操作が実行されるという課題があった。
【０００４】
そして上記の課題に対して、ユーザがユーザインターフェース（ＵＩ）を操作して、操作の権限を切替える技術が提案されている（例えば、特許文献１）。
【先行技術文献】
【特許文献】
【０００５】
【特許文献１】特開平０７−０６４９０５号公報
【発明の概要】
【発明が解決しようとする課題】
【０００６】
しかしながら、特許文献１の技術は、操作の権限を切替えるためには、権限を切替えるための特別なユーザの操作を要する。
【０００７】
本発明は係る問題点を解決するために、互いに遠隔地にある複数のユーザの状況に応じて操作の権限の切替える。即ち、本発明は、複数のユーザによって同時に相反する操作が実行されることを防止することを目的とする。
【課題を解決するための手段】
【０００８】
上記課題を解決するために、本発明に係る情報処理装置は、複数の装置間で遠隔会議を行うための情報処理装置であって、入力手段に対して人物が近づいたか否かを検知する検知手段と、前記情報処理装置が遠隔会議を行う複数の装置の中で何番目に人物が近づいた情報処理装置であるか判定する判定手段と、前記判定手段が、１番目からｎ番目（ｎは自然数）までに人物が近づいた情報処理装置であると判定した場合、表示手段に、第１の項目群及び第２の項目群を表示させ、ｎ＋１番目以降に人物が近づいた端末であると判定した場合、表示手段に、第１の項目群のみを表示させる制御手段を有する。
【発明の効果】
【０００９】
本発明によれば、複数のユーザによって同時に相反する操作が実行されることを防止することが可能となる。
【図面の簡単な説明】
【００１０】
【図１】本発明に係る装置の構成を示す図である。
【図２】３地点間の遠隔会議の様子と、操作メニューの一例とを示す図である。
【図３】３地点における状況の変化と操作メニューとの関係を示す図である。
【図４】操作の権限の切替える処理を示すフローチャートである。
【発明を実施するための形態】
【００１１】
以下に、図面を参照して本発明を実施するための形態について説明する。
【００１２】
図１（Ａ）は、本発明に係る端末装置によって構成される遠隔会議システムを示す図である。
【００１３】
上図において、遠隔会議システムの端末装置１０１は、インターネット等に代表されるネットワーク１０３に接続される。同様に、端末装置１０２もネットワーク１０３に接続される。
【００１４】
尚、以下、端末装置１０１、１０２は、遠隔会議ソフトが動作してＰＣとして説明するが、遠隔会議専用の装置であっても良い。また、ネットワークを介して接続される端末装置は、３台以上であっても良い。
【００１５】
図１（Ｂ）は、端末装置１０１、１０２のハードウェア構成図である。
【００１６】
各端末装置は、フロントプロジェクタ２０２、キーボード２０３、マウス２０４、カメラ２０５、スピーカ２０６、マイク２０７、デジタイザ２０８、人検出センサ２１０を備える。また、各要素はＰＣ２０１が備えるインタフェース（Ｉ／Ｆ）に接続される。
【００１７】
更に、端末装置１０１、１０２は、デジタイザ２０８と連携するペン２０９を備える。また、デジタイザ２０８は、フロントプロジェクタ２０２の映像を投射するスクリーンにペン入力によるデジタイザを一体化したもの（スクリーン兼デジタイザ）である。
【００１８】
尚、ここでスクリーンとは、軟質で薄いスクリーンではなく、ペン２０９での書込み操作に耐えうるものを想定している。即ち、例えば、硬質のものを想定している。
【００１９】
ＰＣ２０１は、中央処理装置（ＣＰＵ）３０１、リードオンリメモリ（ＲＯＭ）３０２、ランダムアクセスメモリ（ＲＡＭ）３０３、内部記憶装置３０４、外部記憶装置３０５、ネットワークＩ／Ｆ３０６、ディスプレイＩ／Ｆ３０７を備える。
【００２０】
また、音声入出力Ｉ／Ｆ３０８、撮像装置Ｉ／Ｆ３０９、センサ入力Ｉ／Ｆ３１０、入出力機器Ｉ／Ｆ３１１を備える。尚、各要素はシステムバス３１２を介して接続されている。以下、各要素について説明する。
【００２１】
ＣＰＵ３０１はＲＯＭ３０２等に記憶されたプログラムをＲＡＭ３０３に展開して、端末装置全体の制御、遠隔会議のための処理を実行する。ＲＯＭ３０２は、端末装置を制御するための各種のプログラムデータ、プログラムの実行に必要なデータ等を記憶する。
【００２２】
尚、ＲＯＭ３０２は、ユーザが電気的にプログラムを書き込むことができるＰｒｏｇｒａｍｍａｂｌｅ  ＲＯＭ（ＰＲＯＭ）であっても、製造するときに内容を書き込むマスクＲＯＭであっても良い。
【００２３】
ＲＡＭ３０３は、ＲＯＭ３０２等に記憶されたプログラムを一時的に展開するための記憶領域を提供すると共に、ＣＰＵ３０１の処理によって得られたデータを保持する。
内部記憶装置３０４は、遠隔会議のためのプログラムデータ、プログラムの実行に必要なデータ等を格納する。尚、内部記憶装置３０４は、例えば、ハードディスクドライブ等によって構成される。
【００２４】
尚、遠隔会議のためのプログラムデータ等は、ＲＯＭ３０２に記憶されていても良い。
【００２５】
外部記憶装置３０５は、遠隔会議において使用される読み書き可能なデータを格納する。尚、外部記憶装置３０５には、例えば、ＤＶＤ−ＲＷドライブ等によって構成される。
【００２６】
ネットワークＩ／Ｆ３０６は、イントラネットなどのネットワークに接続するための通信を制御する。尚、ネットワークＩ／Ｆ３０６は、ユーザの環境に応じた通信Ｉ／Ｆが適用され、無線ＬＡＮやローカルエリアネットワークＩ／Ｆ等によって構成される。
【００２７】
ディスプレイＩ／Ｆ３０７及びフロントプロジェクタ２０２は映像を投射してデジタイザ２０８に映像を表示する表示部として機能する。
【００２８】
尚、フロントプロジェクタを用いて映像を投影する代わりに液晶ディスプレイ、ＳＥＤ（Ｓｕｒｆａｃｅ−Ｃｏｎｄｕｃｔｉｏｎ  Ｅｌｅｃｔｒｏｎ−ｅｍｉｔｔｅｒ  Ｄｉｓｐｌａｙ）等を利用して映像を表示してもよい。
【００２９】
音声入出力Ｉ／Ｆ３０８はスピーカ２０６、マイク２０７等からの音声入出力を処理するものであり、主にネットワークを介して取得された音声データの出力、遠隔地の端末装置へ送る音声データの入力の処理を行う。
【００３０】
また、スピーカ２０６は遠隔会議中の効果音・警告音・案内音声の出力にも利用される。
【００３１】
撮像装置Ｉ／Ｆ３０９はカメラ２０５からの取得された映像データを処理するためのものであり、撮像装置Ｉ／Ｆ３０９から取得されたカメラ映像はネットワークを介して遠隔地の端末装置に送信される。
【００３２】
また、撮像装置Ｉ／Ｆ３０９から取得されたカメラ映像は、確認のために、自端末装置のフロントプロジェクタ２０２から出力してもよい。
【００３３】
センサ入力Ｉ／Ｆ３１０は人検出センサ２１０からの入力を処理するためのもので、人検出センサ２１０は静電容量センサ、赤外線センサ、重量センサ等によって構成される。
【００３４】
尚、スクリーンを兼ねるデジタイザ２０８に近づいた人を検出するために特別のセンサを利用せず、マイク２０７からの入力される音声、デジタイザに対する入力によってスクリーンに近づいた人を検出しても良い。
【００３５】
入出力機器Ｉ／Ｆ３１１はキーボード２０３、マウス２０４、デジタイザ２０８等からの入出力を処理するものであり、端末装置の操作及びデータ入力に用いられる。尚、入出力機器は、これ以外に、リモコン等であっても良い。
【００３６】
システムバス３１２は、端末装置内の各要素の各種データのやりとり及び電力の供給を行うものであり、システムバス３１２は、アドレス線、データ線、制御線、電源・グラウンド線等によって構成される。
【００３７】
図２（Ａ）は、拠点Ａ、Ｂ、Ｃの３地点で遠隔会議を行うときの様子を示す図である。以下、本実施形態について、拠点Ａ、Ｂ、Ｃの３地点で遠隔会議を行う場合を例に説明する。
【００３８】
ここでは、デジタイザ２０８に、ネットワークを介して接続された他の端末装置における操作と、自端末装置における操作とが互いにリアルタイムで反映される機能（「ホワイトボード共有」という）について説明する。
【００３９】
図２（Ｂ）（Ｃ）は、デジタイザ２０８に表示される操作メニューの一例を示す図である。尚、この操作メニューは、スクリーンを兼ねるデジタイザ２０８に表示される。
【００４０】
メニュー５０１は遠隔会議中に可能な全ての操作を示すメニューである。尚、メニュー５０１は、遠隔会議中に一つの端末のみ若しくは限られた一部の端末のみに表示される。
【００４１】
項目５０２は遠隔会議中に可能なペン２０９の操作を示す項目群である。尚、項目５０２には、全ての端末で同時に可能な操作が示されている。具体的には、項目５０２には、ペンの色の変更、ペンの太さの変更、線の種類の変更、及び消しゴム操作が示されている。
【００４２】
項目５０３は会議中に一つの端末のみ若しくは限られた一部の端末のみに許されている操作が示されている項目群である。具体的には、項目５０３には、ページ操作（追加・切り替え・削除）、Ｕｎｄｏ／Ｒｅｄｏ、グループ化、ロック等の操作が示されている。
【００４３】
メニュー５０４は遠隔会議中に可能なペン２０９の操作のみを示すメニューである。尚、メニュー５０４は、メニュー５０１が表示されていない端末装置のデジタイザ２０８に表示可能である。尚メニュー５０４を構成する項目５０５は、項目５０２と同様である。
【００４４】
また、メニュー５０１とメニュー５０４のいずれが表示されるかについては、デジタイザ２０８への人の接近または離反による変化に基づくものとする。
【００４５】
尚、デジタイザ２０８への人の接近または離反は、例えば、デジタイザ２０８の近傍に設置された人検出センサ２１０によって検知される。また、人の接近または離反は、デジタイザ２０８に対するペン入力の有無等によって判定してもよい。
【００４６】
以下、拠点Ａ、拠点Ｂ、拠点Ｃの３拠点間がネットワークを介して接続された遠隔会議を例に説明する。
【００４７】
また、メニュー５０１は、限られた数の端末のみ（例えば、１端末のみ）に表示させているものとする。尚、メニュー５０１が表示させる端末は、例えば、他の端末よりも先んじて人の接近が検出された端末とする。
【００４８】
図３（Ａ）から（Ｆ）は、地点Ａ、Ｂ、Ｃの３地点における状況の変化とデジタイザ２０８に表示される操作メニューとの関係を示す図である。
図３（Ａ）は会議の開始時等、誰もデジタイザ２０８に近づいていない状態を示す図である。拠点Ａ、拠点Ｂ、拠点Ｃの３拠点共にデジタイザ２０８には、操作メニューは表示されていない。
図３（Ｂ）は拠点Ａにおいて人がデジタイザ２０８に近づいた状態を示す図である。拠点Ａのデジタイザ２０８には全ての操作の可能であることを示すメニュー５０１が表示されているが、拠点Ｂ、拠点Ｃのデジタイザ２０８にはメニューは表示されていない。
図３（Ｃ）は図３（Ｂ）の状態から更に拠点Ｂのデジタイザ２０８に人が近づいた状態を示す図である。拠点Ｂのデジタイザ２０８には全端末に許されているメニュー５０４が表示され、拠点Ａのデジタイザ２０８においてはメニュー５０１の表示が維持される。
一方、拠点Ｃのデジタイザ２０８には誰も近づいていないため、メニューは表示されていない。
図３（Ｄ）は図３（Ｃ）の状態から更に拠点Ｃのデジタイザ２０８に人が近づいた状態を示す図である。すると、拠点Ｃのデジタイザ２０８には全端末に許されているメニュー５０４が表示される。
一方、拠点Ａのデジタイザ２０８においてはメニュー５０１の表示が維持され、拠点Ｂのデジタイザ２０８においてはメニュー５０４の表示が維持される。
図３（Ｅ）は図３（Ｄ）の状態を基準として、拠点Ａのデジタイザ２０８から人が離れた状態を示す図である。すると、拠点Ａのデジタイザ２０８に表示されていたメニュー５０１は消えた状態となる。
一方、拠点Ｂのデジタイザ２０８には、メニュー５０４に替えてメニュー５０１が表示される。これは、前回の判定結果と今回の判定結果とを比較すると拠点Ｂの優先順位が繰り上がったことを意味する。
また、拠点Ｃのデジタイザ２０８においてはメニュー５０４の表示が維持される。尚、上述の処理は、拠点Ｂにおける人の接近が、拠点Ｃにおける人の接近よりも先んじていたことに基づくものである。
図３（Ｆ）は図３（Ｅ）の状態を基準として、拠点Ｃのデジタイザ２０８から人が離れた状態を示す図である。すると、拠点Ｃのデジタイザに表示されていたメニュー５０４は消えた状態となる。一方、拠点Ａ、拠点Ｂのデジタイザ２０８の表示内容は変化しない。
【００４９】
図４は、本発明に係る情報処理装置において実行される処理であって、操作の権限の切替える処理を示すフローチャートである。尚、この処理は、ＣＰＵ３０１がＲＯＭ３０２等に記憶されたプログラムをＲＡＭ３０３に展開し、実行することによって実現される。
【００５０】
ステップＳ１２０１において、ＣＰＵ３０１等は、一連の処理を開始する。
【００５１】
次に、ステップＳ１２０２において、ＣＰＵ３０１等は、会議中に人がスクリーンに接近している端末の数をカウントする総端末カウンタを０クリアする。
【００５２】
また、ステップＳ１２０２において、ＣＰＵ３０１等は、会議中に自端末のデジタイザ２０８に対する人の接近が行われた場合、全端末中の何番目に人の接近を検知したかを示す順番情報を保存する順番カウンタを０クリアする。
【００５３】
次に、ステップＳ１２０３において、ＣＰＵ３０１等は、人検出センサ２１０から取得された信号に基づいて自端末のデジタイザ２０８に対する人の接近の有無を判定し、人の接近が検知された場合、ステップＳ１２０４の処理を実行する。
【００５４】
一方、ステップＳ１２０３において、人の接近が検知されなかった場合、ステップＳ１２２０の処理を実行する。
【００５５】
ステップＳ１２０４において、ＣＰＵ３０１等は、総端末カウンタの値に基づき、自端末のデジタイザ２０８に対する人の接近が他の端末のデジタイザ２０８に対する人の接近よりも先んじているか否か判断する。
【００５６】
尚、総端末カウンタの値が０である場合、当該端末に対する人の接近が他のいずれの端末に対する人の接近よりも先んじていたことを意味する。
【００５７】
ステップＳ１２０４において、総端末カウンタの値が０であると判断された場合、ステップＳ１２０５において、ＣＰＵ３０１等は、デジタイザ２０８にメニュー５０１を表示する処理を実行する。
【００５８】
一方、ステップＳ１２０４において、総端末カウンタの値が０でないと判断された場合、ステップＳ１２２５において、ＣＰＵ３０１等は、デジタイザ２０８にメニュー５０１を表示する処理を実行する。
【００５９】
ステップＳ１２０５またはステップＳ１２２５の処理が実行されると、続いてステップＳ１２０６において、ＣＰＵ３０１等は、順番カウンタに総端末カウンタの値をセットし、総端末カウンタの値を１プラスする処理を実行する。
【００６０】
次に、ステップＳ１２０７において、ＣＰＵ３０１等は、ネットワーク１０３を介して接続されている他の端末に自端末のユーザの接近と順番カウンタの値を通知する処理を実行する。
【００６１】
次に、ステップＳ１２０８において、ＣＰＵ３０１等は、人検出センサ２１０から取得された信号に基づいて自端末のデジタイザ２０８に接近していた人が離れたか否かを判定し、人の離反が検知された場合、ステップＳ１２２６の処理を実行する。
【００６２】
一方、ステップＳ１２０８において、人の離反が検出されなかった場合、ステップＳ１２０９の処理を実行する。
【００６３】
ステップＳ１２０９において、ＣＰＵ３０１等は、ネットワーク１０３を介して接続されている他の端末から送信された情報に基づいて、他の端末において人の離反が検出されたか否か判定する。
【００６４】
ステップＳ１２０９において、他の端末における人の離反が検出されたと判定された場合、ステップＳ１２１０において、ＣＰＵ３０１等は、総端末カウントを１マイナスする処理を実行する。
【００６５】
次に、ステップＳ１２１１において、ＣＰＵ３０１等は、他端末の順番情報の値と自端末の順番カウンタの値とを比較する処理を実行する。ここで、他端末の順番情報の値が、自端末の順番カウンタの値より小さい場合、ステップＳ１２１２の処理を実行する。
【００６６】
ステップＳ１２１２において、ＣＰＵ３０１等は、自端末の順番カウンタを１マイナスする処理を実行する。
【００６７】
次に、ステップＳ１２１３において、ＣＰＵ３０１等は、順番カウンタの値が０であるか否か判定する。尚、順番カウンタの値が０である場合には、ステップＳ１２１４の処理を実行する。
【００６８】
ステップＳ１２１４において、ＣＰＵ３０１等は、自端末のデジタイザ２０８にメニュー５０１を表示する処理を実行する。
【００６９】
次に、ステップＳ１２１５において、ＣＰＵ３０１等は、ネットワークを介して接続された他の端末から取得された情報から、新たにユーザがデジタイザ２０８に接近したか端末があるか否か判定する。
【００７０】
ステップＳ１２１５において、新たにユーザの接近検出された端末がある場合、ステップＳ１２１６において、ＣＰＵ３０１等は、総端末カウンタの値を１プラスする処理を実行する。
【００７１】
次に、ステップＳ１２１７において、ＣＰＵ３０１等は、アプリケーションの終了指示の有無を判定し、終了指示があれば、ステップＳ１２１８の処理を実行する。
【００７２】
ステップＳ１２１８において、ＣＰＵ３０１等は、他端末に対して、自端末に接近している人が存在していない旨を示す情報と自端末の順番カウンタの値とを示す信号を出力する処理を実行する。
【００７３】
次に、ステップＳ１２１９において、一連の処理を終了する。
【００７４】
ステップＳ１２２０において、ＣＰＵ３０１等は、ネットワークを介して接続された他の端末から取得された情報から、新たにユーザがデジタイザ２０８に接近したか端末があるか否か判定する。
【００７５】
ステップＳ１２２０において、新たにユーザの接近検出された端末がある場合、ステップＳ１２２１において、ＣＰＵ３０１等は、総端末カウンタの値を１プラスする処理を実行する。
【００７６】
ステップＳ１２２０において、新たにユーザの接近検出された端末がない場合、またはステップＳ１２２１の処理を実行した場合、続いてステップＳ１２２２の処理を実行する。
【００７７】
ステップＳ１２２２において、ＣＰＵ３０１等は、ネットワークを介して接続された他の端末から取得された情報に基づいて、他端末のデジタイザ２０８に接近していた人が離れたか否かを判定する。
【００７８】
ステップＳ１２２２において、人の離反が検知された場合、ステップＳ１２２３において、ＣＰＵ３０１は、総端末カウントを１マイナスする処理を実行する。
【００７９】
次に、ステップＳ１２２４において、ＣＰＵ３０１等は、アプリケーションの終了指示の有無を判定し、終了指示があれば、前述のステップＳ１２１９の処理を実行する。
【００８０】
一方、ステップＳ１２２４において、終了指示がない場合、またはステップＳ１２２２において、人の離反が検知されなかった場合、前述のステップＳ１２０３の処理を実行する。
【００８１】
また、ステップＳ１２２６において、ＣＰＵ３０１は、他端末に対して、ユーザが離反した旨を示す情報と自端末の順番カウンタの値とを示す信号を出力する処理を実行する。
【００８２】
次に、ステップＳ１２２７において、ＣＰＵ３０１は、順番カウンタを０クリアする処理を実行し、次に、ステップＳ１２２８において、ＣＰＵ３０１は、現在表示しているメニューを非表示する処理を実行し、次に、前述のステップＳ１２０３の処理を実行する。
【００８３】
また、ステップＳ１２０９において、他の端末における人の離反が検出なかった場合、または、ステップＳ１２１１において、他端末の順番情報の値が、自端末の順番カウンタの値より小さくない場合、前述のステップＳ１２０８の処理を実行する。
【００８４】
また、ステップＳ１２１３において、順番カウンタの値が０でない場合、または、ステップＳ１２１５において、新たにユーザの接近検出された端末がない場合も同様に、前述のステップＳ１２０８の処理を実行する。
【００８５】
また、ステップＳ１２１７において、アプリケーションの終了指示がない場合も同様に、前述のステップＳ１２０８の処理を実行する。即ち、ステップＳ１２０８の処理はアプリケーションが終了するまで、複数回実行される処理である。
【００８６】
以上が遠隔会議システムにおける、遠隔会議端末装置１０１のメニュー表示の切り替えに関する処理動作の一例である。
【００８７】
尚、ユーザがデジタイザに接近中である端末装置それぞれにおいて、順番のカウントを行う方式ではなく、１つの端末装置において情報を一元管理して、他の端末に通知する方式でもかまわない。
【００８８】
また、メニュー５０１（第１の操作権限を示すメニュー）は、相反する操作が高頻度に発生することがない場合であれば、１番目からｎ番目（ｎは自然数）までに人物の接近が検知された端末装置に表示してもよい。
【００８９】
このとき、メニュー５０４（第２の操作権限を示すメニュー）は、ｎ＋１番目以降に人物の接近が検知された端末装置に表示することとなる。
【００９０】
（その他の実施形態）
また、本発明の目的は、以下の処理を実行することによって達成される。
【００９１】
即ち、上述した実施形態の機能を実現するソフトウェアのプログラムコードを記録した記憶媒体を、システム或いは装置に供給し、そのシステム或いは装置のコンピュータ（またはＣＰＵ等）が記憶媒体に格納されたプログラムコードを読み出す処理である。
【００９２】
この場合、記憶媒体から読み出されたプログラムコード自体が上述した実施の形態の機能を実現することになり、そのプログラムコード及び該プログラムコードを記憶した記憶媒体は本発明を構成することになる。
【００９３】
また、プログラムコードを供給するための記憶媒体としては、次のものを用いることができる。例えば、ＣＤ−ＲＯＭ、ＤＶＤ＋ＲＷ等である。または、プログラムコードは、ネットワークを介してプログラムコードをダウンロードしてもよい。
【００９４】
また、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【図１】
2010273109.tif 000003
【図２】
2010273109.tif 000004
【図３】
2010273109.tif 000005
【図４】
2010273109.tif 000006